(57)【要約】      （修正有）【課題】耐摩耗パネルをアンカーボルトで下地コンクリートに固定する際に、耐摩耗パネルの設置位置を移動させることなく下地コンクリート中の鉄筋を避けて固定できる固定構造を提供する。【解決手段】耐摩耗パネル１を、そのアンカーボルト取付孔内に固定した受け枠５と、該受け枠５内に収納する座金６を介して、下地コンクリートＧに設置したアンカーボルト９に固定する構造であって、座金６は略円形状のアンカーボルト固定孔７およびグラウト注入孔８を備え、受け枠５内で自在に回動できる構成とした耐摩耗パネル１の固定構造。【選択図】図９
0003222408.tif 000002
【実用新案登録請求の範囲】
【請求項１】
プレキャストコンクリート製耐摩耗パネルに形成されたアンカーボルト取付孔内に固定された受け枠と、該受け枠内に収納された座金を介して、下地コンクリートに設置されたアンカーボルトにナットが締結されることで固定されたプレキャストコンクリート製耐摩耗パネルの固定構造であって、前記受け枠はリング状の底壁と、該底壁の周縁から立設する略円筒状の側壁からなり、前記座金は、略円形状の板状部材であって、前記アンカーボルトの頭部を挿通させる略円形状のアンカーボルト固定孔とグラウト注入孔を備えるとともに、前記受け枠内で自在に回動可能であることを特徴とするプレキャストコンクリート製耐摩耗パネルの固定構造。
【請求項２】
前記受け枠の前記側壁の外周面が、前記プレキャストコンクリート製耐摩耗パネル内に埋め込まれた補強鉄筋に固定されていることを特徴とする請求項１記載のプレキャストコンクリート製耐摩耗パネルの固定構造。
【請求項３】
前記受け枠の前記側壁の外周面に設けた複数の突出部が、前記プレキャストコンクリート製耐摩耗パネル内に埋め込まれて固定され、または前記プレキャストコンクリート製耐摩耗パネル内に埋め込まれ且つ前記プレキャストコンクリート製耐摩耗パネル内に埋め込まれた補強鉄筋に固定されていることを特徴とする請求項１記載のプレキャストコンクリート製耐摩耗パネルの固定構造。
【請求項４】
前記プレキャストコンクリート製耐摩耗パネルが、その下面から出没自在に設けたボルトと、該ボルトの先端部が当接する位置にあって内空断面を有するパッキンを介して装着したプレートとからなる段差調整手段を備えたことを特徴とする請求項１ないし請求項３のうちのいずれか一つに記載のプレキャストコンクリート製耐摩耗パネルの固定構造。
【請求項５】
前記プレキャストコンクリート製耐磨耗パネルの下面にグラウト材との付着防止手段を設けたことを特徴とする請求項１ないし請求項４のうちのいずれか一つに記載のプレキャストコンクリート製耐摩耗パネルの固定構造。
【考案の詳細な説明】
【技術分野】
【０００１】
本考案は、プレキャストコンクリート製耐摩耗パネルを下地コンクリートに固定する固定構造に関する。
【背景技術】
【０００２】
河川や排水路からの取水、河床安定を目的とした水利構造物として取水堰、砂防ダム及び床止め工などがある。これら水利構造物の堰体及びエプロン部の表面は、他の箇所に比較して早くから摩耗しやすいが、その主な原因としては、砂礫の流下に伴うエロージョンや、水のキャビテーションなどの作用が挙げられる。
【０００３】
特に我が国の河川は、諸外国に比して全長が短くかつ急勾配であるため、水利構造物の堰体ないしエプロン部表面の損耗進行は著しいものとなりやすく、水利構造物の供用後短期間で補修が必要となるといった問題点がある。また、砂防ダムのような越流落差の大きな場所では、エプロン部が水と共に落下する石類によって滝つぼ状に抉られてしまっていた。
【０００４】
このような水利構造物の損耗箇所を補修する従来の一般的な補修工事方法としては、損耗部位に現場でコンクリートを打設する方法があるが、その方法による場合は損耗箇所周囲を含めて比較的広い範囲を補修する必要がある。また、コンクリートの打設後は、コンクリートに所定の強度が発現するまで養生しなければならない。
【０００５】
こうした問題点を解決する方法として、特開平８ー１８９０２４号公報においては、水たたきにプレキャスト高強度ブロックを配置し、アンカーボルトにより固定する施工法を提案している。この施工法によれば、工場で生産され、よく管理された質の高いプレキャストコンクリート部材を直ちに現場設置できること、また、周辺をはつったりすることなく補修部位だけを交換できること、養生期間を設ける必要のないこと、など多くの利点がある。
【０００６】
しかし、下地コンクリートに補強鉄筋が埋設されている場合、アンカーボルトの先端がその補強鉄筋に干渉し、場合によってはアンカー孔を削孔する際に補強鉄筋を損傷してしまうことも考えられる。これらの問題を解消するため、特開２００５−２６０６号公報においては、アンカーボルト取付孔内に固定した受け枠と、その受け枠内に収納されその受け枠内で自在に回動できるとともに直径方向に延びるアンカーボルト挿通用の長穴を備えた座金を介して、下地コンクリートに設置したアンカーボルトにプレキャストコンクリート部材を固定する固定方法を提案している。
【０００７】
上記のような固定方法により、プレキャストコンクリート部材の位置をずらすことなく、下地コンクリートに埋設されている補強鉄筋を避けながらアンカーボルトを設置して、プレキャストコンクリート部材を固定することができる。また、座金にグラウト注入穴を形成し、プレキャストコンクリート部材の下面に段差調整手段を付加することで、プレキャストコンクリート部材の施工作業が著しく容易となる効果が生じる。
【先行技術文献】
【特許文献】
【０００８】
【特許文献１】特開平８−１８９０２４号公報
【特許文献２】特開２００５−２６０６号公報
【０００９】
しかしながら、施工後のプレキャストコンクリート部材に万一浮き上がりが生じた場合、直径方向に長穴を形成した座金を用いていると、座金の耐力に寄与できる面積が著しく減少するため、座金に変形が生じてアンカーボルトからの抜け出しが生じかねない。一方、座金の大きさや厚さには限界があり、アンカーボルト挿通用の穴を大きくすることにも一定の限界がある。
【００１０】
また、プレキャストコンクリート部材の浮き上がりに対し座金が変形しない場合でも、受け枠自体がプレキャストコンクリート部材から抜け出たり、受け枠周囲のコンクリート部が引張応力に対して破壊されることで、固定が解除されてプレキャストコンクリート部材が流失するおそれもある。
【考案の概要】
【考案が解決しようとする課題】
【００１１】
本考案は、上記従来技術の有する問題点を解消するため、アンカーボルト挿通用の長穴を設けることなくアンカー挿通用の孔の位置を調節でき、受け枠がプレキャストコンクリート製耐磨耗パネル（プレキャストコンクリート部材）にしっかりと固定された信頼性の高い、施工性に優れたプレキャストコンクリート製耐摩耗パネルの固定構造を提供することを目的とする。
【課題を解決するための手段】
【００１２】
上記の問題点を解決するため、本願の請求項１に係る考案は、プレキャストコンクリート製耐摩耗パネルに形成されたアンカーボルト取付孔内に固定された受け枠と、該受け枠内に収納された座金を介して、下地コンクリートに設置されたアンカーボルトにナットが締結されることで固定されたプレキャストコンクリート製耐摩耗パネルの固定構造であって、前記受け枠はリング状の底壁と、該底壁の周縁から立設する略円筒状の側壁からなり、前記座金は、略円形状の板状部材であって、前記アンカーボルトの頭部を挿通させる略円形状のアンカーボルト固定孔とグラウト注入孔を備えるとともに、前記受け枠内で自在に回動可能であることを特徴とする。
【００１３】
また、請求項２に係る考案は、前記受け枠の前記側壁の外周面が、前記プレキャストコンクリート製耐摩耗パネル内に埋め込まれた補強鉄筋に固定されていることを特徴とする。
【００１４】
また、請求項３に係る考案は、前記受け枠の前記側壁の外周面に設けた複数の突出部が、前記プレキャストコンクリート製耐摩耗パネル内に埋め込まれて固定され、または前記プレキャストコンクリート製耐摩耗パネル内に埋め込まれ且つ前記プレキャストコンクリート製耐摩耗パネル内に埋め込まれた補強鉄筋に固定されていることを特徴とする。
【００１５】
また、本願の請求項４に係る考案は、前記プレキャストコンクリート製耐摩耗パネルが、その下面から出没自在に設けたボルトと、該ボルトの先端部が当接する位置にあって内空断面を有するパッキンを介して装着したプレートとからなる段差調整手段を備えたことを特徴とする。
【００１６】
また、本願の請求項５に係る考案は、前記プレキャストコンクリート製耐磨耗パネルの下面にグラウト材との付着防止手段を設けたことを特徴とする。
【考案の効果】
【００１７】
本願の請求項１に係る考案によれば、アンカーボルト固定孔を備えた座金が受け枠内で自在に回動可能な構成であるため、プレキャストコンクリート製耐摩耗パネルの位置をずらすことなく、下地コンクリートの補強鉄筋を避けて設置したアンカーボルトに自在に対応して固定することができる。
【００１８】
また、座金の耐力に寄与できる面積が大きく、万一プレキャストコンクリート製耐摩耗パネルに浮き上がりが生じた場合であっても座金が変形しにくいため、座金の変形によるアンカーボルトからの抜け出しを防止することができる。
【００１９】
また、本願の請求項２及び３に係る考案によれば、受け枠の側壁の外周面がプレキャストコンクリート製耐摩耗パネル内に埋め込まれた補強鉄筋に固定されている構造、または、受け枠の側壁の外周面に設けた複数の突出部が、プレキャストコンクリート製耐摩耗パネル内に埋め込まれて固定されている構造若しくはプレキャストコンクリート製耐摩耗パネル内に埋め込まれ且つプレキャストコンクリート製耐摩耗パネル内に埋め込まれた補強鉄筋に固定されている構造とすることで、万一プレキャストコンクリート製耐摩耗パネルに浮き上がりが生じても、受け枠自体がプレキャストコンクリート製耐摩耗パネルから抜け出たり、受け枠周囲のコンクリートが引張応力により破壊されることを防止することができるため、プレキャストコンクリート製耐摩耗パネルの固定が解除されて流失するといった問題を解決することができる。
【００２０】
また、本願の請求項４に係る考案によれば、段差調整手段を備えた構成であるため、プレキャストコンクリート製耐摩耗パネルと下地コンクリート間の空隙に応じてパネル高さを自在に調整でき、施工面を水平に保つことができる他、アンカーボルトの長さを調節することで、一定のアンカー定着長さを確保することもできる。また、段差調整手段により、プレキャストコンクリート製耐摩耗パネルの設置後にボルトを取り外すことができるため、ボルトを再利用することができる。
【００２１】
また、本願の請求項５に係る考案によれば、プレキャストコンクリート製耐磨耗パネルの下面に付着防止手段を設けた構成であるため、プレキャストコンクリート製耐磨耗パネルの下面とグラウト材とが付着せず、長時間の使用後であってもプレキャストコンクリート製耐磨耗パネルの交換が容易である。
【図面の簡単な説明】
【００２２】
【図１】本考案に係るプレキャストコンクリート製耐摩耗パネルの平面図である。
【図２】図１のＩ−Ｉ線矢視断面図である。
【図３】受け枠の平面図（ａ）とII−II線矢視断面図（ｂ）である。
【図４】座金の平面図（ａ）とIII−III線矢視断面図（ｂ）である。
【図５】プレキャストコンクリート製耐摩耗パネルの固定構造を示す部分拡大断面図である。
【図６】アンカーボルトによる固定部の拡大断面図である。
【図７】同平面図である。
【図８】下地コンクリート内の縦鉄筋や横鉄筋が受け枠の貫通孔の真上に位置した場合の固定状態を示す平面図である。
【図９】プレキャストコンクリート製耐摩耗パネルの固定状態を示す部分拡大断面図である。
【図１０】プレキャストコンクリート製耐摩耗パネルの固定状態を示す他の実施形態の部分拡大断面図である。
【図１１】段差調整時の第１段階を示す部分拡大断面図である。
【図１２】段差調整時の第２段階を示す部分拡大断面図である。
【図１３】段差調整後の部分拡大断面図である。
【考案を実施するための形態】
【００２３】
以下、本考案を図１ないし図１３に示す実施形態に従って詳細に説明するが、本考案はこれに限定されるものではない。図において、１は水利構造物のような損耗の著しい箇所に設置するのに最適なプレキャストコンクリート製耐摩耗パネル（以下「耐摩耗パネル」という）で、図１及び図２に示すように、平面視が横長方形状とした盤状の部材であり、その内部に補強鉄筋２が埋設されているとともに、下面には後述するグラウト材Ｆと付着しない塗布膜ないしシートなどの装着による付着防止層３が形成されている。
【００２４】
４は耐摩耗パネル１の上面から下面に貫通するアンカーボルト取付孔で、図１に示すように、耐摩耗パネル１の上下に３つずつ横一列に等間隔で形成されており、アンカーボルト取付孔４内には、図３に示すように、中央に大径の貫通孔５ａを有するリング状の底壁５ｂと、その底壁５ｂの周縁から起立する高さの低い略円筒状の側壁５ｃと、その側壁５ｃの外周面から放射状に水平に延びる複数（本実施形態では４つ）の略長方形状の突出部５ｄから構成された受け枠５が埋設され確実に固定されている。このとき突出部５は、図２等に示すように、耐磨耗パネル１内に完全に埋め込まれた状態となっている。
【００２５】
尚、受け枠５は、その側壁５ｃまたは突出部５ｄと耐摩耗パネル１内に埋め込まれている補強鉄筋２を溶接等により結合しつつ、耐摩耗パネル１内に埋設することで固定されていてもよい。
【００２６】
また、受け枠５の突出部５ｄは、側壁５ｃの外周面からその先端にかけて上方に向けて傾斜する（好ましくは傾斜角が１０°以下）ように設けられていてもよい。このような傾斜を設けることで、埋設された受け枠５が耐摩耗パネル１のアンカーボルト取付孔４から脱落しづらい構造とすることができる。
【００２７】
６は受け枠５内に収納する略円形状の板状部材により形成された座金で、受け枠５内にあって水平面で回動可能となるように、略円筒状の側壁５ｃの内径よりやや小さな外径で形成されている。また、この座金６には、図４（ａ）等に示すように、座金６の中心を挟んで一方には略円形状のアンカーボルト固定孔７が、他方には略円形状のグラウト注入孔８がそれぞれ形成されている。尚、座金６の上面のアンカーボルト固定孔７の位置にはワッシャー７ａが座金６の補強のために固定されている。
【００２８】
尚、本実施形態における座金６のアンカーボルト固定孔７は、図４（ａ）等に示すように、座金６の中心からやや円周寄りの位置（座金６の中心からやや左寄りの位置）に形成されているが、座金６の更に中央寄りの位置に形成されていてもよいし、逆に円周寄りの位置に形成されていてもよい。このように、座金６の中心からアンカーボルト固定孔７の位置の距離が異なるパターンの座金６を数種類用意しておくことで、後述するように、下地コンクリートＧに埋設されている縦鉄筋Ｒ及び横鉄筋Ｋを避けて設置したアンカーボルト９に耐摩耗パネル１を固定する際に対応することが可能となる。
【００２９】
９は下地コンクリートＧに設置するアンカーボルトで、アンカーボルト取付孔４内に固定した受け枠５内において、その受け枠５内に設置した座金６のアンカーボルト固定孔７（ワッシャー７ａ）からアンカーボルト９の頭部を上方に突出させて座金６を介してナット１０を締めることで、耐摩耗パネル１を下地コンクリートＧに固定するためのものである。
【００３０】
上記構造により、下地コンクリートＧに埋設されている縦鉄筋Ｒ及び横鉄筋Ｋを避けてアンカーボルト９を設置した場合であっても、座金６を回動して（また場合によっては座金６を他のパターンのものに変更しつつ回動して）アンカーボルト固定孔７の位置を移動させることにより、アンカーボルト固定孔７の位置をアンカーボルト９の位置に合わせることができる。そのため、アンカーボルト取付孔４を所定位置に備えた耐摩耗パネル１であっても、耐摩耗パネル１自体の敷設位置を移動調整することなくアンカーボルト９に固定することができる。
【００３１】
また、座金６にアンカーボルト９の頭部を挿通するアンカーボルト固定孔７を形成するとともにグラウト注入孔８を形成する構造であるため、耐摩耗パネル１の固定とグラウト材Ｆの注入をほぼ同一箇所で行うことができ、作業能率が向上するとともに、耐摩耗パネル１にグラウト注入孔を別途設ける必要がないので、耐摩耗パネル１の品質向上を図ることができる。
【００３２】
１１は段差調整ボルト取付孔で、図１に示すように、耐摩耗パネル１の四隅のアンカーボルト取付孔４の近傍に１つずつ計４個形成されている。この段差調整ボルト取付孔１１は、耐摩耗パネル１の上面から下面の付着防止層３に向けて大径部と小径部とから構成されており、小径部の内周には雌ねじを有するインサート１２が固定されている。
【００３３】
１３は内空断面を有する円筒状の弾性パッキンで、図２に示すように、耐磨耗パネル１の下面にあって、段差調整ボルト取付孔１１の周囲にその上端面が固定されており、弾性パッキン１３の下端面には略円形状のプレート１４が装着されている。なお、１５はインサート１２に予め設置し或いは段差調整時に設置する段差調整ボルトである。
【００３４】
１６はアンカーキャップで、図６に示すように、受け枠５の上方開口部に嵌合によって装着するものであり、座金６を介してそのアンカーボルト固定孔７（ワッシャー７ａ）から上方に突出するアンカーボルト９の頭部を覆うためのものである。
【００３５】
このアンカーキャップ１６の上面は、耐磨耗パネル１の内部に埋設された補強鉄筋２よりやや高い位置に設置されているとともに、耐磨耗パネル１及びアンカーキャップ１６の上方空隙部に充填される耐摩耗性充填材Ｔとは色調が異なる色で形成されている。
【００３６】
以下、本考案を、特に砂防ダムなどの水利構造物の水たたきを受けるエプロン部のように、損耗の著しい箇所の補修を行う場合を例にとって詳細に説明する。先ず、補修する既設コンクリートの表面をはつって下地コンクリートＧを成形し、成形したこの下地コンクリートＧの上面に耐磨耗パネル１を、その下面から突出するプレート１４を介して設置する。
【００３７】
つぎに、設置した各耐磨耗パネル１，１間および各耐磨耗パネル１とその周囲との段差調整をそれぞれ行う。この段差調整は、図１１に示すように、耐磨耗パネル１に形成した段差調整ボルト取付孔１１内のインサート１２に予め設置した或いは段差調整時に設置する段差調整ボルト１５を回転させながらインサート１２に螺合し、その先端部を耐磨耗パネル１の下面から突出せしめる。この段差調整ボルト１５の先端部が位置するその下方部には、弾性パッキン１３を介してプレート１４が設けられているため、段差調整ボルト１５を回転させ続けることによりその先端部はプレート１４と衝当する。
【００３８】
そして、図１２に示すように、耐磨耗パネル１の下面から突出させた段差調整ボルト１５の先端部の高さに応じて耐磨耗パネル１の高さが調整されるが、この段差調整時において段差調整ボルト１５の先端部は、弾性パッキン１３を介したプレート１４により支承されているため、下地コンクリートＧの表面に凹凸があり或いは傾斜している場合でも確実に且つ正確に耐磨耗パネル１の段差調整を容易に行うことができるとともに、この調整後の状態を安定した状態で保持することができる。
【００３９】
つぎに、段差調整された耐磨耗パネル１の下地コンクリートＧへの固定作業を行う。この固定作業は、図６に示すように、アンカーボルト取付孔４内に固定した受け枠５内において、その大径の貫通孔５ａから下地コンクリートＧに縦孔を穿設し、その縦孔内に充填したケミカルアンカーなどを介してアンカーボルト９を設置し固定する。そして、図６及び図７に示すように、アンカーボルト９の頭部を座金６に形成したアンカーボルト固定孔７及びワッシャー７ａに挿通せしめつつ座金６を受け枠５内に設置し、アンカーボルト９にナット１０を螺号し締め付けることで、耐磨耗パネル１を下地コンクリートＧに固定する。
【００４０】
アンカーボルト９の下地コンクリートＧへの設置時において、受け枠５の大径の貫通孔５ａが、下地コンクリートＧを補強する縦鉄筋Ｒや横鉄筋Ｋの真上に位置する場合もある。その場合には、縦鉄筋Ｒと横鉄筋Ｋを避けた位置に縦孔を穿設し、ケミカルアンカーを介してアンカーボルト９を設置し固定する。
【００４１】
そして、図８に示すように、受け枠５内に収容した座金６を回動させ、アンカーボルト固定孔７の位置を移動させることで、アンカーボルト９の頭部をアンカーボルト固定孔７及びワッシャー７ａから突出せしめ、アンカーボルト９にナット１０を螺合し締め付けることで耐磨耗パネル１を下地コンクリートＧに固定する。この場合、段差調整後の耐磨耗パネル１自体の位置をずらすことなく行うことができるので、容易に固定作業を行うことができる。
【００４２】
つぎに、アンカーボルト取付孔４内にあって、座金６に形成したグラウト注入孔８からグラウト材Ｆを注入して耐磨耗パネル１と下地コンクリートＧとの間隙にグラウト材Ｆを充填し、グラウト材Ｆを介して耐磨耗パネル１と下地コンクリートＧとを一体化する。このように、座金６にグラウト注入孔８を設けることで、耐磨耗パネル１に新たにグラウト材Ｆの注入のための孔を設ける必要がなく、耐磨耗パネル１の品質保持上好ましいものとなる。
【００４３】
そして、耐磨耗パネル１と下地コンクリートＧとの間隙に充填したグラウト材Ｆが硬化した後、図１２の一点鎖線で示すように、段差調整ボルト１５を段差調整ボルト取付孔１１内のインサート１２から取り外す。この段差調整ボルト１５の先端部は弾性パッキン１３及びプレート１４によって周囲が覆われており、グラウト材Ｆと直接接触していないため、段差調整ボルト１５をインサート１２から容易に取り外すことができ、取り外した段差調整ボルト１５は再利用が可能となる。尚、段差調整ボルト１４を取り外した後は、インサート１２の上方開口部を塞ぐために、図１３に示すように、シール１７を設ける事もできる。
【００４４】
つぎに、図９に示すように、アンカーボルト取付孔４内に固定した受け枠５の上方開口部にアンカーキャップ１６を設置することでアンカーボルト９の頭部及び座金６の上方をアンカーキャップ１６で覆う。或いは、図１０に示すように、受け枠５内に被覆材Ｆ２を充填し、アンカーボルト９の頭部及び座金６を被覆材Ｆ２で覆う。
【００４５】
その後、アンカーボルト取付孔４内のアンカーキャップ１６或いは被覆材Ｆ２の上方空間部、段差調整ボルト取付孔１１内の段差調整ボルト１５を取り外した後に設置したシール１７の上方空間部及び各耐磨耗パネル１，１間の目地溝内に、耐摩耗性充填材Ｔをそれぞれ充填することにより図５に示す状態となり、敷設作業が完了する。
【００４６】
上記より、本考案は、耐摩耗パネル１の下面に形成された付着防止層３が、裏打ちされるグラウト材Ｆと付着しない構成であるため、長時間の使用後にその交換が必要となった際の交換作業が容易であるという効果を有する。また、耐摩耗パネル１の内部に埋設された補強鉄筋２が摩耗によって露出する前に、アンカーキャップ１６又は被覆材Ｆ２の上面部分Ｈが露出する構成であるため、アンカーキャップ１６または被覆材Ｆ２が露出した時点を耐摩耗パネル１の交換時期と定めることができ、保守管理が容易となるという効果を有する。
【符号の説明】
【００４７】
１    製耐摩耗パネル            １５  段差調整ボルト
２    補強鉄筋                  １６  アンカーキャップ
３    付着防止層                １７  シール
４    アンカーボルト取付孔      Ｆ    グラウト材
５    受け枠                    Ｆ２  被覆材
５ａ  貫通孔                    Ｇ    下地コンクリート
５ｂ  底壁                      Ｈ    上面部分
５ｃ  側壁                      Ｋ    横鉄筋
５ｄ  突出部                    Ｒ    縦鉄筋
６    座金                      Ｔ    耐摩耗性充填剤
７    アンカーボルト固定孔
７ａ  ワッシャー
８    グラウト注入孔
９    アンカーボルト
１０  ナット
１１  段差調整ボルト取付孔
１２  インサート
１３  弾性パッキン
１４  プレート
【図１】
0003222408.tif 000003
【図２】
0003222408.tif 000004
【図３】
0003222408.tif 000005
【図４】
0003222408.tif 000006
【図５】
0003222408.tif 000007
【図６】
0003222408.tif 000008
【図７】
0003222408.tif 000009
【図８】
0003222408.tif 000010
【図９】
0003222408.tif 000011
【図１０】
0003222408.tif 000012
【図１１】
0003222408.tif 000013
【図１２】
0003222408.tif 000014
【図１３】
0003222408.tif 000015
【手続補正書】
【提出日】令和1年5月27日(2019.5.27)
【手続補正１】
【補正対象書類名】明細書
【補正対象項目名】全文
【補正方法】変更
【補正の内容】
【考案の詳細な説明】
【技術分野】
【０００１】
本考案は、プレキャストコンクリート製耐摩耗パネルを下地コンクリートに固定する固定構造に関する。
【背景技術】
【０００２】
河川や排水路からの取水、河床安定を目的とした水利構造物として取水堰、砂防ダム及び床止め工などがある。これら水利構造物の堰体及びエプロン部の表面は、他の箇所に比較して早くから摩耗しやすいが、その主な原因としては、砂礫の流下に伴うエロージョンや、水のキャビテーションなどの作用が挙げられる。
【０００３】
特に我が国の河川は、諸外国に比して全長が短くかつ急勾配であるため、水利構造物の堰体ないしエプロン部表面の損耗進行は著しいものとなりやすく、水利構造物の供用後短期間で補修が必要となるといった問題点がある。また、砂防ダムのような越流落差の大きな場所では、エプロン部が水と共に落下する石類によって滝つぼ状に抉られてしまっていた。
【０００４】
このような水利構造物の損耗箇所を補修する従来の一般的な補修工事方法としては、損耗部位に現場でコンクリートを打設する方法があるが、その方法による場合は損耗箇所周囲を含めて比較的広い範囲を補修する必要がある。また、コンクリートの打設後は、コンクリートに所定の強度が発現するまで養生しなければならない。
【０００５】
こうした問題点を解決する方法として、特開平８ー１８９０２４号公報においては、水たたきにプレキャスト高強度ブロックを配置し、アンカーボルトにより固定する施工法を提案している。この施工法によれば、工場で生産され、よく管理された質の高いプレキャストコンクリート部材を直ちに現場設置できること、また、周辺をはつったりすることなく補修部位だけを交換できること、養生期間を設ける必要のないこと、など多くの利点がある。
【０００６】
しかし、下地コンクリートに補強鉄筋が埋設されている場合、アンカーボルトの先端がその補強鉄筋に干渉し、場合によってはアンカー孔を削孔する際に補強鉄筋を損傷してしまうことも考えられる。これらの問題を解消するため、特開２００５−２６０６号公報においては、アンカーボルト取付孔内に固定した受け枠と、その受け枠内に収納されその受け枠内で自在に回動できるとともに直径方向に延びるアンカーボルト挿通用の長穴を備えた座金を介して、下地コンクリートに設置したアンカーボルトにプレキャストコンクリート部材を固定する固定方法を提案している。
【０００７】
上記のような固定方法により、プレキャストコンクリート部材の位置をずらすことなく、下地コンクリートに埋設されている補強鉄筋を避けながらアンカーボルトを設置して、プレキャストコンクリート部材を固定することができる。また、座金にグラウト注入穴を形成し、プレキャストコンクリート部材の下面に段差調整手段を付加することで、プレキャストコンクリート部材の施工作業が著しく容易となる効果が生じる。
【先行技術文献】
【特許文献】
【０００８】
【特許文献１】特開平８−１８９０２４号公報
【特許文献２】特開２００５−２６０６号公報
【０００９】
しかしながら、施工後のプレキャストコンクリート部材に万一浮き上がりが生じた場合、直径方向に長穴を形成した座金を用いていると、座金の耐力に寄与できる面積が著しく減少するため、座金に変形が生じてアンカーボルトからの抜け出しが生じかねない。一方、座金の大きさや厚さには限界があり、アンカーボルト挿通用の穴を大きくすることにも一定の限界がある。
【００１０】
また、プレキャストコンクリート部材の浮き上がりに対し座金が変形しない場合でも、受け枠自体がプレキャストコンクリート部材から抜け出たり、受け枠周囲のコンクリート部が引張応力に対して破壊されることで、固定が解除されてプレキャストコンクリート部材が流失するおそれもある。
【考案の概要】
【考案が解決しようとする課題】
【００１１】
本考案は、上記従来技術の有する問題点を解消するため、アンカーボルト挿通用の長穴を設けることなくアンカー挿通用の孔の位置を調節でき、受け枠がプレキャストコンクリート製耐摩耗パネル（プレキャストコンクリート部材）にしっかりと固定された信頼性の高い、施工性に優れたプレキャストコンクリート製耐摩耗パネルの固定構造を提供することを目的とする。
【課題を解決するための手段】
【００１２】
上記の問題点を解決するため、本願の請求項１に係る考案は、プレキャストコンクリート製耐摩耗パネルに形成されたアンカーボルト取付孔内に固定された受け枠と、該受け枠内に収納された座金を介して、下地コンクリートに設置されたアンカーボルトにナットが締結されることで固定されたプレキャストコンクリート製耐摩耗パネルの固定構造であって、前記受け枠はリング状の底壁と、該底壁の周縁から立設する略円筒状の側壁からなり、前記座金は、略円形状の板状部材であって、前記アンカーボルトの頭部を挿通させる略円形状のアンカーボルト固定孔とグラウト注入孔を備えるとともに、前記受け枠内で自在に回動可能であることを特徴とする。
【００１３】
また、請求項２に係る考案は、前記受け枠の前記側壁の外周面が、前記プレキャストコンクリート製耐摩耗パネル内に埋め込まれた補強鉄筋に固定されていることを特徴とする。
【００１４】
また、請求項３に係る考案は、前記受け枠の前記側壁の外周面に設けた複数の突出部が、前記プレキャストコンクリート製耐摩耗パネル内に埋め込まれて固定され、または前記プレキャストコンクリート製耐摩耗パネル内に埋め込まれ且つ前記プレキャストコンクリート製耐摩耗パネル内に埋め込まれた補強鉄筋に固定されていることを特徴とする。
【００１５】
また、本願の請求項４に係る考案は、前記プレキャストコンクリート製耐摩耗パネルが、その下面から出没自在に設けたボルトと、該ボルトの先端部が当接する位置にあって内空断面を有するパッキンを介して装着したプレートとからなる段差調整手段を備えたことを特徴とする。
【００１６】
また、本願の請求項５に係る考案は、前記プレキャストコンクリート製耐摩耗パネルの下面にグラウト材との付着防止手段を設けたことを特徴とする。
【考案の効果】
【００１７】
本願の請求項１に係る考案によれば、アンカーボルト固定孔を備えた座金が受け枠内で自在に回動可能な構成であるため、プレキャストコンクリート製耐摩耗パネルの位置をずらすことなく、下地コンクリートの補強鉄筋を避けて設置したアンカーボルトに自在に対応して固定することができる。
【００１８】
また、座金の耐力に寄与できる面積が大きく、万一プレキャストコンクリート製耐摩耗パネルに浮き上がりが生じた場合であっても座金が変形しにくいため、座金の変形によるアンカーボルトからの抜け出しを防止することができる。
【００１９】
また、本願の請求項２及び３に係る考案によれば、受け枠の側壁の外周面がプレキャストコンクリート製耐摩耗パネル内に埋め込まれた補強鉄筋に固定されている構造、または、受け枠の側壁の外周面に設けた複数の突出部が、プレキャストコンクリート製耐摩耗パネル内に埋め込まれて固定されている構造若しくはプレキャストコンクリート製耐摩耗パネル内に埋め込まれ且つプレキャストコンクリート製耐摩耗パネル内に埋め込まれた補強鉄筋に固定されている構造とすることで、万一プレキャストコンクリート製耐摩耗パネルに浮き上がりが生じても、受け枠自体がプレキャストコンクリート製耐摩耗パネルから抜け出たり、受け枠周囲のコンクリートが引張応力により破壊されることを防止することができるため、プレキャストコンクリート製耐摩耗パネルの固定が解除されて流失するといった問題を解決することができる。
【００２０】
また、本願の請求項４に係る考案によれば、段差調整手段を備えた構成であるため、プレキャストコンクリート製耐摩耗パネルと下地コンクリート間の空隙に応じてパネル高さを自在に調整でき、施工面を水平に保つことができる他、アンカーボルトの長さを調節することで、一定のアンカー定着長さを確保することもできる。また、段差調整手段により、プレキャストコンクリート製耐摩耗パネルの設置後にボルトを取り外すことができるため、ボルトを再利用することができる。
【００２１】
また、本願の請求項５に係る考案によれば、プレキャストコンクリート製耐摩耗パネルの下面に付着防止手段を設けた構成であるため、プレキャストコンクリート製耐摩耗パネルの下面とグラウト材とが付着せず、長時間の使用後であってもプレキャストコンクリート製耐摩耗パネルの交換が容易である。
【図面の簡単な説明】
【００２２】
【図１】本考案に係るプレキャストコンクリート製耐摩耗パネルの平面図である。
【図２】図１のＩ−Ｉ線矢視断面図である。
【図３】受け枠の平面図（ａ）とII−II線矢視断面図（ｂ）である。
【図４】座金の平面図（ａ）とIII−III線矢視断面図（ｂ）である。
【図５】プレキャストコンクリート製耐摩耗パネルの固定構造を示す部分拡大断面図である。
【図６】アンカーボルトによる固定部の拡大断面図である。
【図７】同平面図である。
【図８】下地コンクリート内の縦鉄筋や横鉄筋が受け枠の貫通孔の真上に位置した場合の固定状態を示す平面図である。
【図９】プレキャストコンクリート製耐摩耗パネルの固定状態を示す部分拡大断面図である。
【図１０】プレキャストコンクリート製耐摩耗パネルの固定状態を示す他の実施形態の部分拡大断面図である。
【図１１】段差調整時の第１段階を示す部分拡大断面図である。
【図１２】段差調整時の第２段階を示す部分拡大断面図である。
【図１３】段差調整後の部分拡大断面図である。
【考案を実施するための形態】
【００２３】
以下、本考案を図１ないし図１３に示す実施形態に従って詳細に説明するが、本考案はこれに限定されるものではない。図において、１は水利構造物のような損耗の著しい箇所に設置するのに最適なプレキャストコンクリート製耐摩耗パネル（以下「耐摩耗パネル」という）で、図１及び図２に示すように、平面視が横長方形状とした盤状の部材であり、その内部に補強鉄筋２が埋設されているとともに、下面には後述するグラウト材Ｆと付着しない塗布膜ないしシートなどの装着による付着防止層３が形成されている。
【００２４】
４は耐摩耗パネル１の上面から下面に貫通するアンカーボルト取付孔で、図１に示すように、耐摩耗パネル１の上下に３つずつ横一列に等間隔で形成されており、アンカーボルト取付孔４内には、図３に示すように、中央に大径の貫通孔５ａを有するリング状の底壁５ｂと、その底壁５ｂの周縁から起立する高さの低い略円筒状の側壁５ｃと、その側壁５ｃの外周面から放射状に水平に延びる複数（本実施形態では４つ）の略長方形状の突出部５ｄから構成された受け枠５が埋設され確実に固定されている。このとき突出部５は、図２等に示すように、耐摩耗パネル１内に完全に埋め込まれた状態となっている。
【００２５】
尚、受け枠５は、その側壁５ｃまたは突出部５ｄと耐摩耗パネル１内に埋め込まれている補強鉄筋２を溶接等により結合しつつ、耐摩耗パネル１内に埋設することで固定されていてもよい。
【００２６】
また、受け枠５の突出部５ｄは、側壁５ｃの外周面からその先端にかけて上方に向けて傾斜する（好ましくは傾斜角が１０°以下）ように設けられていてもよい。このような傾斜を設けることで、埋設された受け枠５が耐摩耗パネル１のアンカーボルト取付孔４から脱落しづらい構造とすることができる。
【００２７】
６は受け枠５内に収納する略円形状の板状部材により形成された座金で、受け枠５内にあって水平面で回動可能となるように、略円筒状の側壁５ｃの内径よりやや小さな外径で形成されている。また、この座金６には、図４（ａ）等に示すように、座金６の中心を挟んで一方には略円形状のアンカーボルト固定孔７が、他方には略円形状のグラウト注入孔８がそれぞれ形成されている。尚、座金６の上面のアンカーボルト固定孔７の位置にはワッシャー７ａが座金６の補強のために固定されている。
【００２８】
尚、本実施形態における座金６のアンカーボルト固定孔７は、図４（ａ）等に示すように、座金６の中心からやや円周寄りの位置（座金６の中心からやや左寄りの位置）に形成されているが、座金６の更に中央寄りの位置に形成されていてもよいし、逆に円周寄りの位置に形成されていてもよい。このように、座金６の中心からアンカーボルト固定孔７の位置の距離が異なるパターンの座金６を数種類用意しておくことで、後述するように、下地コンクリートＧに埋設されている縦鉄筋Ｒ及び横鉄筋Ｋを避けて設置したアンカーボルト９に耐摩耗パネル１を固定する際に対応することが可能となる。
【００２９】
９は下地コンクリートＧに設置するアンカーボルトで、アンカーボルト取付孔４内に固定した受け枠５内において、その受け枠５内に設置した座金６のアンカーボルト固定孔７（ワッシャー７ａ）からアンカーボルト９の頭部を上方に突出させて座金６を介してナット１０を締めることで、耐摩耗パネル１を下地コンクリートＧに固定するためのものである。
【００３０】
上記構造により、下地コンクリートＧに埋設されている縦鉄筋Ｒ及び横鉄筋Ｋを避けてアンカーボルト９を設置した場合であっても、座金６を回動して（また場合によっては座金６を他のパターンのものに変更しつつ回動して）アンカーボルト固定孔７の位置を移動させることにより、アンカーボルト固定孔７の位置をアンカーボルト９の位置に合わせることができる。そのため、アンカーボルト取付孔４を所定位置に備えた耐摩耗パネル１であっても、耐摩耗パネル１自体の敷設位置を移動調整することなくアンカーボルト９に固定することができる。
【００３１】
また、座金６にアンカーボルト９の頭部を挿通するアンカーボルト固定孔７を形成するとともにグラウト注入孔８を形成する構造であるため、耐摩耗パネル１の固定とグラウト材Ｆの注入をほぼ同一箇所で行うことができ、作業能率が向上するとともに、耐摩耗パネル１にグラウト注入孔を別途設ける必要がないので、耐摩耗パネル１の品質向上を図ることができる。
【００３２】
１１は段差調整ボルト取付孔で、図１に示すように、耐摩耗パネル１の四隅のアンカーボルト取付孔４の近傍に１つずつ計４個形成されている。この段差調整ボルト取付孔１１は、耐摩耗パネル１の上面から下面の付着防止層３に向けて大径部と小径部とから構成されており、小径部の内周には雌ねじを有するインサート１２が固定されている。
【００３３】
１３は内空断面を有する円筒状の弾性パッキンで、図２に示すように、耐摩耗パネル１の下面にあって、段差調整ボルト取付孔１１の周囲にその上端面が固定されており、弾性パッキン１３の下端面には略円形状のプレート１４が装着されている。なお、１５はインサート１２に予め設置し或いは段差調整時に設置する段差調整ボルトである。
【００３４】
１６はアンカーキャップで、図６に示すように、受け枠５の上方開口部に嵌合によって装着するものであり、座金６を介してそのアンカーボルト固定孔７（ワッシャー７ａ）から上方に突出するアンカーボルト９の頭部を覆うためのものである。
【００３５】
このアンカーキャップ１６の上面は、耐摩耗パネル１の内部に埋設された補強鉄筋２よりやや高い位置に設置されているとともに、耐摩耗パネル１及びアンカーキャップ１６の上方空隙部に充填される耐摩耗性充填材Ｔとは色調が異なる色で形成されている。
【００３６】
以下、本考案を、特に砂防ダムなどの水利構造物の水たたきを受けるエプロン部のように、損耗の著しい箇所の補修を行う場合を例にとって詳細に説明する。先ず、補修する既設コンクリートの表面をはつって下地コンクリートＧを成形し、成形したこの下地コンクリートＧの上面に耐摩耗パネル１を、その下面から突出するプレート１４を介して設置する。
【００３７】
つぎに、設置した各耐摩耗パネル１，１間および各耐摩耗パネル１とその周囲との段差調整をそれぞれ行う。この段差調整は、図１１に示すように、耐摩耗パネル１に形成した段差調整ボルト取付孔１１内のインサート１２に予め設置した或いは段差調整時に設置する段差調整ボルト１５を回転させながらインサート１２に螺合し、その先端部を耐摩耗パネル１の下面から突出せしめる。この段差調整ボルト１５の先端部が位置するその下方部には、弾性パッキン１３を介してプレート１４が設けられているため、段差調整ボルト１５を回転させ続けることによりその先端部はプレート１４と衝当する。
【００３８】
そして、図１２に示すように、耐摩耗パネル１の下面から突出させた段差調整ボルト１５の先端部の高さに応じて耐摩耗パネル１の高さが調整されるが、この段差調整時において段差調整ボルト１５の先端部は、弾性パッキン１３を介したプレート１４により支承されているため、下地コンクリートＧの表面に凹凸があり或いは傾斜している場合でも確実に且つ正確に耐摩耗パネル１の段差調整を容易に行うことができるとともに、この調整後の状態を安定した状態で保持することができる。
【００３９】
つぎに、段差調整された耐摩耗パネル１の下地コンクリートＧへの固定作業を行う。この固定作業は、図６に示すように、アンカーボルト取付孔４内に固定した受け枠５内において、その大径の貫通孔５ａから下地コンクリートＧに縦孔を穿設し、その縦孔内に充填したケミカルアンカーなどを介してアンカーボルト９を設置し固定する。そして、図６及び図７に示すように、アンカーボルト９の頭部を座金６に形成したアンカーボルト固定孔７及びワッシャー７ａに挿通せしめつつ座金６を受け枠５内に設置し、アンカーボルト９にナット１０を螺号し締め付けることで、耐摩耗パネル１を下地コンクリートＧに固定する。
【００４０】
アンカーボルト９の下地コンクリートＧへの設置時において、受け枠５の大径の貫通孔５ａが、下地コンクリートＧを補強する縦鉄筋Ｒや横鉄筋Ｋの真上に位置する場合もある。その場合には、縦鉄筋Ｒと横鉄筋Ｋを避けた位置に縦孔を穿設し、ケミカルアンカーを介してアンカーボルト９を設置し固定する。
【００４１】
そして、図８に示すように、受け枠５内に収容した座金６を回動させ、アンカーボルト固定孔７の位置を移動させることで、アンカーボルト９の頭部をアンカーボルト固定孔７及びワッシャー７ａから突出せしめ、アンカーボルト９にナット１０を螺合し締め付けることで耐摩耗パネル１を下地コンクリートＧに固定する。この場合、段差調整後の耐摩耗パネル１自体の位置をずらすことなく行うことができるので、容易に固定作業を行うことができる。
【００４２】
つぎに、アンカーボルト取付孔４内にあって、座金６に形成したグラウト注入孔８からグラウト材Ｆを注入して耐摩耗パネル１と下地コンクリートＧとの間隙にグラウト材Ｆを充填し、グラウト材Ｆを介して耐摩耗パネル１と下地コンクリートＧとを一体化する。このように、座金６にグラウト注入孔８を設けることで、耐摩耗パネル１に新たにグラウト材Ｆの注入のための孔を設ける必要がなく、耐摩耗パネル１の品質保持上好ましいものとなる。
【００４３】
そして、耐摩耗パネル１と下地コンクリートＧとの間隙に充填したグラウト材Ｆが硬化した後、図１２の一点鎖線で示すように、段差調整ボルト１５を段差調整ボルト取付孔１１内のインサート１２から取り外す。この段差調整ボルト１５の先端部は弾性パッキン１３及びプレート１４によって周囲が覆われており、グラウト材Ｆと直接接触していないため、段差調整ボルト１５をインサート１２から容易に取り外すことができ、取り外した段差調整ボルト１５は再利用が可能となる。尚、段差調整ボルト１５を取り外した後は、インサート１２の上方開口部を塞ぐために、図１３に示すように、シール１７を設ける事もできる。
【００４４】
つぎに、図９に示すように、アンカーボルト取付孔４内に固定した受け枠５の上方開口部にアンカーキャップ１６を設置することでアンカーボルト９の頭部及び座金６の上方をアンカーキャップ１６で覆う。或いは、図１０に示すように、受け枠５内に被覆材Ｆ２を充填し、アンカーボルト９の頭部及び座金６を被覆材Ｆ２で覆う。
【００４５】
その後、アンカーボルト取付孔４内のアンカーキャップ１６或いは被覆材Ｆ２の上方空間部、段差調整ボルト取付孔１１内の段差調整ボルト１５を取り外した後に設置したシール１７の上方空間部及び各耐摩耗パネル１，１間の目地溝内に、耐摩耗性充填材Ｔをそれぞれ充填することにより図５に示す状態となり、敷設作業が完了する。
【００４６】
上記より、本考案は、耐摩耗パネル１の下面に形成された付着防止層３が、裏打ちされるグラウト材Ｆと付着しない構成であるため、長時間の使用後にその交換が必要となった際の交換作業が容易であるという効果を有する。また、耐摩耗パネル１の内部に埋設された補強鉄筋２が摩耗によって露出する前に、アンカーキャップ１６又は被覆材Ｆ２の上面部分Ｈが露出する構成であるため、アンカーキャップ１６または被覆材Ｆ２が露出した時点を耐摩耗パネル１の交換時期と定めることができ、保守管理が容易となるという効果を有する。
【符号の説明】
【００４７】
１    製耐摩耗パネル            １５  段差調整ボルト
２    補強鉄筋                  １６  アンカーキャップ
３    付着防止層                １７  シール
４    アンカーボルト取付孔      Ｆ    グラウト材
５    受け枠                    Ｆ２  被覆材
５ａ  貫通孔                    Ｇ    下地コンクリート
５ｂ  底壁                      Ｈ    上面部分
５ｃ  側壁                      Ｋ    横鉄筋
５ｄ  突出部                    Ｒ    縦鉄筋
６    座金                      Ｔ    耐摩耗性充填剤
７    アンカーボルト固定孔
７ａ  ワッシャー
８    グラウト注入孔
９    アンカーボルト
１０  ナット
１１  段差調整ボルト取付孔
１２  インサート
１３  弾性パッキン
１４  プレート
【手続補正２】
【補正対象書類名】実用新案登録請求の範囲
【補正対象項目名】全文
【補正方法】変更
【補正の内容】
【実用新案登録請求の範囲】
【請求項１】
プレキャストコンクリート製耐摩耗パネルに形成されたアンカーボルト取付孔内に固定された受け枠と、該受け枠内に収納された座金を介して、下地コンクリートに設置されたアンカーボルトにナットが締結されることで固定されたプレキャストコンクリート製耐摩耗パネルの固定構造であって、前記受け枠はリング状の底壁と、該底壁の周縁から立設する略円筒状の側壁からなり、前記座金は、略円形状の板状部材であって、前記アンカーボルトの頭部を挿通させる略円形状のアンカーボルト固定孔とグラウト注入孔を備えるとともに、前記受け枠内で自在に回動可能であることを特徴とするプレキャストコンクリート製耐摩耗パネルの固定構造。
【請求項２】
前記受け枠の前記側壁の外周面が、前記プレキャストコンクリート製耐摩耗パネル内に埋め込まれた補強鉄筋に固定されていることを特徴とする請求項１記載のプレキャストコンクリート製耐摩耗パネルの固定構造。
【請求項３】
前記受け枠の前記側壁の外周面に設けた複数の突出部が、前記プレキャストコンクリート製耐摩耗パネル内に埋め込まれて固定され、または前記プレキャストコンクリート製耐摩耗パネル内に埋め込まれ且つ前記プレキャストコンクリート製耐摩耗パネル内に埋め込まれた補強鉄筋に固定されていることを特徴とする請求項１記載のプレキャストコンクリート製耐摩耗パネルの固定構造。
【請求項４】
前記プレキャストコンクリート製耐摩耗パネルが、その下面から出没自在に設けたボルトと、該ボルトの先端部が当接する位置にあって内空断面を有するパッキンを介して装着したプレートとからなる段差調整手段を備えたことを特徴とする請求項１ないし請求項３のうちのいずれか一つに記載のプレキャストコンクリート製耐摩耗パネルの固定構造。
【請求項５】
前記プレキャストコンクリート製耐摩耗パネルの下面にグラウト材との付着防止手段を設けたことを特徴とする請求項１ないし請求項４のうちのいずれか一つに記載のプレキャストコンクリート製耐摩耗パネルの固定構造。